(57)【特許請求の範囲】
【請求項１】
降り棟の両側に配置される野地板の対向する側縁を、互いの間にケーブル配線溝が生じる位置に控え、前記野地板上に配置された屋根材一体型太陽電池のケーブルを前記ケーブル配線溝に配置し、略ハット形の断面形状の水切りを前記ケーブル配線溝に配置し、この水切りの上部の外向きフランジを降り棟の両側の野地板上に載置した屋根材一体型太陽電池のケーブル納まり構造。
【発明の詳細な説明】
【０００１】
【発明の属する技術分野】
この発明は、屋根材一体型太陽電池のケーブル納まり構造に関する。
【０００２】
【従来の技術】
従来、屋根葺き材と一体化された屋根材一体型太陽電池を屋根に取付施工する場合、図５に示すように、野地板３０の上面に流し桟３１を取付けて、野地板３０と流し桟３１で囲まれる凹部を屋根葺き材である太陽電池３２のケーブルを納めるスペースとしていた。
【０００３】
【発明が解決しようとする課題】
しかし、上記構成の場合、通常の鋼板横葺き屋根では必要のない流し桟３１を取付けるため、施工に手間がかかり、コストアップを招く。また、施工中や施工後に、屋根材の上を歩行する際、流し桟３１と流し桟３１との間に足を掛けると、屋根材を曲げてしまう恐れが有る。
【０００４】
この発明は、このような課題を解消し、野地板の上面に流し桟を取付けることなく、太陽電池のケーブル配線スペースを確保できる屋根材一体型太陽電池のケーブル納まり構造を提供することを目的とする。
【０００６】
【課題を解決するための手段】
この発明の屋根材一体型太陽電池のケーブル納まり構造は、降り棟の両側に配置される野地板の対向する側縁を、互いの間にケーブル配線溝が生じる位置に控え、前記野地板上に配置された屋根材一体型太陽電池のケーブルを前記ケーブル配線溝に配置したものである。
この構成によると、野地板の流し桟を取付けることなく、降り棟の部分に屋根材一体型太陽電池のケーブル配線溝を確保できるので、工程数の低減および工期短縮が可能となり施工を簡略化できると共に、コスト低減が可能となる。また、施工中や施工後に、屋根上を歩行する際に、屋根材を曲げてしまうこともない。  上記構成において、ケーブル配線溝に略ハット形の断面形状の水切りを配置し、この水切りの上部の外向きフランジを降り棟の両側の野地板上に載置する。この構成の場合、ケーブル配線溝が水切りで覆われるので、ケーブル配線溝から屋根内に水が浸入するのを防止できる。
【０００８】
【発明の実施の形態】
この発明の一実施形態を図１および図２と共に説明する。図１は、この実施形態にかかる屋根材一体型太陽電池のケーブル納まり構造を備えた寄棟屋根の平面図を示し、図２はそのケーブル納まり構造の断面図を示す。図１の寄棟屋根１は、複数枚並設される屋根パネル３（図２）の上面に屋根材一体型太陽電池４を配置して構成したものであり、屋根パネル３は野地板５の下面に垂木６を固定して構成される。上記寄棟屋根１における降り棟２の両側に配置される野地板５，５の対向する側縁は、図２に示すように、互いの間にケーブル配線溝７が生じる位置に控えて配置され、野地板５の上に配置された屋根材一体型太陽電池４のケーブル８が上記ケーブル配線溝７内に配置される。上記ケーブル配線溝７には、略ハット形の断面形状の水切り９が配置され、その水切り９の上部の外向きフランジ９ａは、降り棟２の両側の野地板５の上面に載置される。これにより、ケーブル配線溝７から屋根内に水が浸入するのを防止できる。ルーフィング１０は、野地板５の上面から水切り９の上面にわたって貼り付けられる。上記屋根パネル３の降り棟２に沿う側縁部は、降り棟２に沿って配置される鋼材製の隅合掌１１によって支持される。
【０００９】
この屋根材一体型太陽電池のケーブル納まり構造では、従来例のように野地板５の上面に流し桟を取付けることなく、屋根材一体型太陽電池４のケーブル８を納めるケーブル配線溝７を降り棟２の部分に確保できるので、工程数の低減および工期の短縮が可能で、施工を簡略化でき、コストを低減できる。また、屋根上を歩行する際に、屋根材を曲げてしまうこともない。
【００１０】
図３は、屋根材一体型太陽電池のケーブル納まり構造の提案例を示す縦断面図である。このケーブル納まり構造は、屋根における隅棟、すなわち二つの傾斜面が隣合う谷部１２の、両傾斜面に配置される野地板５，５の対向する下縁を、互いの間にケーブル配線溝７Ａが生じる位置に控え、野地板５の上に配置された屋根一体型太陽電地４のケーブル８を上記ケーブル配線溝７Ａ内に配置したものである。野地板５の下面に垂木６を固定して屋根パネル３が構成されることは、先の実施形態の場合と同様である。屋根の谷部１２に沿う屋根パネル３の下縁部は、屋根谷部１２に沿って配置される鋼材製の屋根梁１３によって支持される。ケーブル配線溝７Ａに、略ハット形の断面形状の水切り９が配置され、その水切り９の上部の外向きフランジ９ａが屋根谷部１２の両側の野地板５の上面に載置されること、およびルーフィング１０が野地板５の上面から水切り９の上面にわたって貼り付けられることは、先の実施形態と同様である。
【００１１】
このケーブル納まり構造においても、野地板５の上面に流し桟を取付けることなく、屋根材一体型太陽電池４のケーブル８を納めるケーブル配線溝７Ａを屋根谷部１２に確保できるので、工程数の低減および工期の短縮が可能で、施工を簡略化でき、コストを低減できる。また、屋根上を歩行する際に、屋根材を曲げてしまうこともない。
【００１２】
図４は、屋根材一体型太陽電池のケーブル納まり構造のさらに他の提案例を示す縦断面図である。このケーブル納まり構造は、屋根の一般部における二つの屋根パネル３，３が突き合わさる部分で、両野地板５，５の対向する端縁を、互いの間にケーブル配線溝７Ｂが生じる位置に控え、野地板５の上に配置された屋根一体型太陽電地４のケーブル８を上記ケーブル配線溝７Ｂに配置したものである。野地板５の下面に垂木６を固定して屋根パネル３が構成されることは、先の実施形態の場合と同様である。上記屋根パネル３は鋼材製の母屋１４によって支持される。ケーブル配線溝７Ｂに、略ハット形の断面形状の水切り９が配置され、その水切り９の上部の外向きフランジ９ａが、両側の野地板５の上面に載置されることや、ルーフィング１０が野地板５の上面から水切り９の上面にわたって貼り付けられることは、先の実施形態の場合と同様である。
【００１３】
このケーブル納まり構造でも、野地板５の上面に流し桟を取付けることなく、屋根材一体型太陽電池４のケーブル８を納めるケーブル配線溝７Ｂを屋根の一般部に確保できるので、工程数の低減および工期の短縮が可能で、施工を簡略化でき、コストを低減できる。また、屋根上を歩行する際に、屋根材を曲げてしまうこともない。
【００１４】
なお、上記各実施形態では、野地板５の下面に垂木６を固定した屋根パネル３を使用する屋根に適用した場合を示したが、この発明は、他の構法の屋根や在来の木造屋根にも同様に適用できる。
【００１５】
【発明の効果】
この発明の屋根材一体型太陽電池のケーブル納まり構造は、降り棟の両側に配置される野地板の対向する側縁を、互いの間にケーブル配線溝が生じる位置に控え、前記野地板上に配置された屋根材一体型太陽電池のケーブルを前記ケーブル配線溝に配置したため、野地板の流し桟を取付けることなく、降り棟の部分に屋根材一体型太陽電池のケーブル配線溝を確保できる。その結果、工程数の低減および工期短縮が可能となり施工を簡略化できると共に、コスト低減が可能となる。また、施工中や施工後に、屋根上を歩行する際に、屋根材を曲げてしまうこともない。
また、略ハット形の断面形状の水切りを前記ケーブル配線溝に配置し、この水切りの上部の外向きフランジを降り棟の両側の野地板上に載置したため、ケーブル配線溝が水切りで覆われるので、ケーブル配線溝から屋根内に水が浸入するのを防止できる。
【図面の簡単な説明】
【図１】  この発明の一実施形態にかかる屋根材一体型太陽電池のケーブル納まり構造を備えた寄棟屋根の平面図である。
【図２】  同屋根材一体型太陽電池のケーブル納まり構造の降り棟部分を示す縦断面図である。
【図３】  提案例にかかる屋根材一体型太陽電池のケーブル納まり構造の隅棟部分を示す縦断面図である。
【図４】  他の提案例にかかる屋根材一体型太陽電池のケーブル納まり構造の屋根一般部の縦断面図である。
【図５】  従来例の斜視図である。
【符号の説明】
２…降り棟                            ８…ケーブル
４…屋根材一体型太陽電池              ９…水切り
５…野地板                            ９ａ…外向きフランジ
７，７Ａ，７Ｂ…ケーブル配線溝
【図１】
0003963236.tif 000002
【図２】
0003963236.tif 000003
【図３】
0003963236.tif 000004
【図４】
0003963236.tif 000005
【図５】
0003963236.tif 000006